(57)【特許請求の範囲】
【請求項１】
アクセサリの装着方向に対向する第１の面と、
前記第１の面に設けられた第１の端子列と、
前記第１の面に対して前記アクセサリの装着方向と交叉するＹ方向にずれ、かつ前記第１の面に対して所定角度で傾斜した第２の面と、
前記第２の面に設けられた第２の端子列とを有し、
前記第１の端子列と第２の端子列の端子は、相互に千鳥状に配列されており、
前記第１の端子列の端子は、接点部が変位する可動端子であり、
前記第２の端子列の端子は、接点部が変位しない固定端子であることを特徴とするアクセサリ用信号端子コネクタ。
【請求項２】
前記第１の端子列の端子は、退避空間を備えた保持部材によって保持されていることを特徴とする請求項１記載のアクセサリ用信号端子コネクタ。
【請求項３】
前記第１の端子列の端子は、前記接点部とＵ字形状の弾性変形部とを備えており、前記弾性変形部は、弾性変形部以外の部分よりも端子のピッチ方向から見た幅が狭いことを特徴とする請求項１又は２記載のアクセサリ用信号端子コネクタ。
【請求項４】
前記弾性変形部と前記接点部との中間部は、前記第２の端子列の端子を保持する保持部材の内部空間を形成する内壁面の一部に当接していることを特徴とする請求項３記載のアクセサリ用信号端子コネクタ。
【請求項５】
前記第１の端子列の端子及び第２の端子列の端子は、それぞれフレキシブル基板を介して前記アクセサリが装着されるアクセサリーシュー装置が取り付けられた装置の主基板に接続されることを特徴とする請求項１乃至４のいずれか１項に記載のアクセサリ用信号端子コネクタ。
【請求項６】
前記アクセサリーシュー装置に適用され、前記アクセサリーシュー装置に設けられた外部ストロボ用の信号端子よりもアクセサリの装着方向の前方に配置されることを特徴とする請求項５記載のアクセサリ用信号端子コネクタ。
【請求項７】
前記アクセサリの装着方向に交叉する幅方向の寸法は、前記アクセサリーシュー装置における前記アクセサリが係合する係合部材の係合部間隔よりも広いことを特徴とする請求項５又は６記載のアクセサリ用信号端子コネクタ。
【請求項８】
前記第１の面又は前記第２の面の近傍に、前記アクセサリとの組み合わせを規制する嵌合部材を設けたことを特徴とする請求項１乃至７のいずれか１項に記載のアクセサリ用信号端子コネクタ。
【請求項９】
前記アクセサリは、電子ビューファインダであることを特徴とする請求項１乃至８のいずれか１項に記載のアクセサリ用信号端子コネクタ。
【請求項１０】
アクセサリが装着される係合部材と、
前記係合部材に装着される外部ストロボ用の信号端子と、アクセサリ用信号端子コネクタとを備えたアクセサリーシュー装置であって、
前記アクセサリ用信号端子コネクタは、請求項１乃至９のいずれか１項に記載のアクセサリ用信号端子コネクタであることを特徴とするアクセサリーシュー装置。
【請求項１１】
請求項１０記載のアクセサリーシュー装置を備えることを特徴とする撮像装置。
【請求項１２】
請求項１乃至９のいずれか１項のアクセサリ用信号端子コネクタに接続される接続プラグを備えたアクセサリであって、
前記接続プラグの第１の端子列の端子は、前記アクセサリ用信号端子コネクタの第１の端子列と接触する固定端子であり、
前記接続プラグの第２の端子列の端子は、前記アクセサリ用信号端子コネクタの第２の端子列の端子と接触し、退避空間を有するベース部に保持された可動端子であることを特徴とするアクセサリ。
【発明の詳細な説明】
【技術分野】
【０００１】
本発明は、アクセサリを装着するアクセサリーシュー装置に適用されるアクセサリ用信号端子コネクタ、該アクセサリ用信号端子コネクタを適用したアクセサリーシュー装置、及び撮像装置、並びにアクセサリに関する。
【背景技術】
【０００２】
撮像装置として、撮影用アクセサリ（以下、単に「アクセサリ」という。）が装着可能なアクセサリーシュー装置を備えた撮像装置が知られている。撮像装置のアクセサリーシュー装置は、アクセサリを装着するための係合部と電気的接続部とを備えている。そして、近年、撮像装置のアクセサリーシュー装置には、外部ストロボ装置に限らず、種々のアクセサリが装着可能となっている。
【０００３】
このようなアクセサリとして、例えば、小型液晶装置を備えた電子ビューファインダが挙げられる。電子ビューファインダを装着できるアクセサリーシュー装置は、係合部材の形状内に外部ストロボ装置用の接続端子に加えて、電子ビューファインダ用の接続端子が必要となる。外部ストロボ装置用の接続端子と電子ビューファインダ用の接続端子を備えることによって、同一の係合部に対して外部ストロボ装置と電子ビューファインダとを選択的に装着できるようになる。
【０００４】
このように、外部ストロボ装置の接続端子に加えて電子ビューファインダ用の接続端子を備えたアクセサリーシュー装置に関する文献として、特許文献１が挙げられる。
【先行技術文献】
【特許文献】
【０００５】
【特許文献１】特許第４０４２７１７号明細書
【発明の概要】
【発明が解決しようとする課題】
【０００６】
しかしながら、外部ストロボ装置を装着するためのアクセサリーシュー装置には規格による形状の規定がある。すなわち、ＪＩＳ規格による規定では、アクセサリの取り付け部が係合する係合部の形状と外部ストロボ装置のシンクロナイザ接点の位置関係が定められている。
【０００７】
また、近年、電子ビューファインダは、高画素化、高フレームレート化の要請に伴い撮像装置との接続信号端子数が増加する多極化の傾向にある。アクセサリーシュー装置の係合部の形状内において電子ビューファインダ用の接続端子である信号端子コネクタを多極化することは、スペース上の制約を受ける。そこで、信号端子コネクタを多極化するために、接続端子のピッチを狭くすることが考えられる。しかしながら、端子の狭ピッチ化のためには、隣接する接続端子の短絡を防止するために、アクセサリーシュー装置の係合部と電子ビューファインダ用の信号端子コネクタの位置精度を向上させることが必要となり、決して容易ではない。
【０００８】
本発明は、かかる状況に鑑みてなされたものであり、形状が規定されているアクセサリーシュー装置に適用される多極化されたアクセサリ用信号端子コネクタを提供することを目的とする。また、本発明は、このようなアクセサリ用信号端子コネクタを適用したアクセサリーシュー装置、及び撮像装置、並びにアクセサリ用信号端子コネクタに接続されるアクセサリを提供することを目的とする。
【課題を解決するための手段】
【０００９】
上記課題を解決するために、請求項１記載のアクセサリ用信号端子コネクタは、アクセサリの装着方向に対向する第１の面と、前記第１の面に設けられた第１の端子列と、前記第１の面に対して前記アクセサリの装着方向と交叉するＹ方向にずれ、かつ前記第１の面に対して所定角度で傾斜した第２の面と、前記第２の面に設けられた第２の端子列とを有し、前記第１の端子列と第２の端子列の端子は、相互に千鳥状に配列されており、前記第１の端子列の端子は、接点部が変位する可動端子であり、前記第２の端子列の端子は、接点部が変位しない固定端子であることを特徴とする。
【００１０】
また、上記課題を解決するために、請求項１０記載のアクセサリーシュー装置は、アクセサリが装着される係合部材と、前記係合部材に装着される外部ストロボ用の信号端子と、アクセサリ用信号端子コネクタとを備えたアクセサリーシュー装置であって、前記アクセサリ用信号端子コネクタは、請求項１乃至９のいずれか１項に記載のアクセサリ用信号端子コネクタであることを特徴とする。
【００１１】
また、上記課題を解決するために、請求項１１記載の撮像装置は、請求項１０記載のアクセサリーシュー装置を備えることを特徴とする。
【００１２】
また、上記課題を解決するために、請求項１２記載のアクセサリは、請求項１乃至９のいずれか１項のアクセサリ用信号端子コネクタに接続される接続プラグを備えたアクセサリであって、前記接続プラグの第１の端子列の端子は、前記アクセサリ用信号端子コネクタの第１の端子列と接触する固定端子であり、前記接続プラグの第２の端子列の端子は、前記アクセサリ用信号端子コネクタの第２の端子列の端子と接触し、退避空間を有するベース部に保持された可動端子であることを特徴とする。
【発明の効果】
【００１３】
本発明によれば、形状が規定されているアクセサリーシュー装置に適用される多極化されたアクセサリ用信号端子コネクタを提供することができる。また、本発明によれば、多極化されたアクセサリ用信号端子コネクタを適用したアクセサリーシュー装置、及び撮像装置、並びにアクセサリ用信号端子コネクタに接続されるアクセサリを提供することができる。
【図面の簡単な説明】
【００１４】
【図１】実施の形態に係る撮像装置を示す図であり、図１（ａ）は背面方向から見た斜視図、図１（ｂ）は、外部ストロボ装置を装着した状態を示す背面方向からの斜視図である。また、図１（ｃ）は、外部表示装置を装着した状態を示す背面方向からの斜視図、図１（ｄ）は、アクセサリーシュー装置への外部表示装置の装着方法を示す図である。
【図２】図１の撮像装置におけるアクセサリーシュー装置の構成を示す分解斜視図である。
【図３】アクセサリーシュー装置を説明するための図であって、図３（ａ）は、斜視図、図３（ｂ）は、図３（ａ）のアクセサリーシュー装置をＺ方向から見た正面図である。
【図４】信号端子コネクタを説明するための図であって、図４（ａ）は、斜視図、図４（ｂ）は、図４（ａ）の信号端子コネクタをＺ方向から見た正面図ある。
【図５】電子ビューファインダの接続プラグを説明するための図であり、図５（ａ）は、接続プラグ側から見た電子ビューファインダの斜視図、図５（ｂ）は、接続プラグの端子を示す部分拡大図である。
【図６】電子ビューファインダの接続プラグをアクセサリーシュー装置の係合部材に装着した状態を説明する図であり、図６（ａ）は斜視図、図６（ｂ）は、信号端子コネクタの第２の端子列と、接続プラグの端子の接続状態を示すＹＺ平面の断面図である。
【図７】電子ビューファインダの接続プラグをアクセサリーシュー装置の係合部材に装着した状態を説明する図であり、信号端子コネクタの第１の端子列と、接続プラグの端子との接続状態を示すＺ方向に沿った断面図である。
【発明を実施するための形態】
【００１５】
以下、本発明の実施の形態について、図面を参照しつつ詳細に説明する。
【００１６】
図１は、実施の形態に係る撮像装置を示す図であり、図１（ａ）は、背面方向から見た斜視図、図１（ｂ）は、外部ストロボ装置を装着した状態を示す背面方向からの斜視図である。また、図１（ｃ）は、外部表示装置を装着した状態を示す背面方向からの斜視図、図１（ｄ）は、アクセサリーシュー装置への外部表示装置の装着方法を示す図である。
【００１７】
図１（ａ）において、撮像装置１０は、図示省略した撮像素子に被写体像を取り込むためのレンズ鏡筒１２、液晶モニター１１、アクセサリーシュー装置（以下、単に、「アクセサリーシュー」という。）１３、及びトップカバー２８を備えている。撮像装置１０の使用者は、液晶モニター１１によって被写体像を確認することができる。アクセサリの取り付け部としてのアクセサリーシュー１３は、外装部材としてのトップカバー２８の一部を形成している。
【００１８】
図１（ｂ）において、撮像装置１０のアクセサリーシュー１３にアクセサリとしての外部ストロボ装置（以下、単に、「外部ストロボ」という。）１４が装着されている。外部ストロボ１４は、撮影時に被写体に光を照射するために用いる。また、図１（ｃ）において、撮像装置１０のアクセサリーシュー１３に小型液晶装置を備えた外部表示装置としての電子ビューファインダ１５が装着されている。撮像装置１０の使用者は、電子ビューファインダ１５によって、液晶モニター１１と同様に、撮像素子に取り込まれる被写体像を確認することができる。
【００１９】
また、図１（ｄ）において、電子ビューファインダ１５は、撮像装置本体のアクセサリーシュー１３に接続するための接続プラグ１５ａを備えている。電子ビューファインダ１５は、図１（ｄ）中、矢印Ｚ方向に平行にスライドさせて接続プラグ１５ａとアクセサリーシュー１３を係合させることによって撮像装置１０に装着される。スライド方向は、撮像装置１０の背面側、つまり液晶モニター１１側からレンズ鏡筒１２へ向かう方向である。
【００２０】
次に、撮像装置１０におけるアクセサリーシュー１３の構成について説明する。
【００２１】
図２は、図１の撮像装置１０におけるアクセサリーシュー１３の構成を示す分解斜視図である。
【００２２】
図２において、矢印Ｚ方向は、アクセサリーシュー１３に対するアクセサリの装着方向を示している。また、矢印Ｘ方向は、アクセサリの装着方向と直角に交叉しトップカバー２８の長手方向に平行な方向を示している。矢印Ｙ方向は、アクセサリの装着方向とトップカバー２８の長手方向とに直角に交叉する方向で、トップカバー２８に対するアクセサリーシュー１３の組立方向を示している。なお、トップカバー２８は、撮像装置１０の上面の外観を形成する外装部材である。
【００２３】
アクセサリーシュー１３は、係合部材２０、外部ストロボ１４用の信号端子ステージ２７、アクセサリ用信号端子コネクタ（以下、単に「信号端子コネクタ」ともいう。）２３、及びアクセサリーシュースプリング２６から主として構成されている。
【００２４】
係合部材２０は、アクセサリとしての外部ストロボ１４又は電子ビューファインダ１５を係合保持するための部材である。外部ストロボ用の信号端子ステージ２７（以下、単に、「信号端子ステージ」という。）は、合成樹脂材料で構成されており、該信号端子ステージ２７には、シンクロナイザ接点２１と複数の接点２２が保持されている。信号端子ステージ２７は、係合部材２０の位置決め部によって配置位置が決定される。信号端子ステージ２７は、外部ストロボ装置との間で信号を通信するための端子である。
【００２５】
また、電子ビューファインダ１５用の信号端子コネクタ２３は、合成樹脂材料で形成されたコネクタベース部材に、ピッチ方向であるＸ方向に等ピッチで並設された複数の接続端子を備えている。接続端子の詳細については、後述する。
【００２６】
信号端子ステージ２７のシンクロナイザ接点２１、複数の接点２２、及び信号端子コネクタ２３の接続端子は、それぞれトップカバー２８の下方に配置されたフレキシブル基板３０と電気的に接合される。フレキシブル基板３０は、撮像装置１０の主基板（図示省略）に接続され、外部ストロボ１４や電子ビューファインダ１５と電気的に接続可能に構成されている。これによって、係合部材２０に装着された外部ストロボ１４又は電子ビューファインダ１５は、撮像装置１０と通信可能となる。
【００２７】
信号端子コネクタ２３の全周を囲うようにパッキン部材３１が配置されている。パッキン部材３１は、ゴム部材など小さな力で大きく変形し、かつ大きな弾性歪領域を持った弾性部材で構成されている。
【００２８】
トップカバー２８の下方に配置されたアクセサリーシュー保持部材３２は、係合部材２０を保持する構造躯体であり、トップカバー２８に対して締結部によって位置決めされている。締結部は、例えば、４本のビス２９を備えており、ビス２９は、図２中、係合部材２０、トップカバー２８、及びフレキシブル基板３０を貫通してアクセサリーシュー保持部材３２まで到達し、アクセサリーシュー保持部材３２に締結される。
【００２９】
信号端子ステージ２７は、その外周部が係合部材２０とトップカバー２８によって挟持されることによって固定されている。信号端子コネクタ２３は、トップカバー２８とアクセサリーシュー保持部材３２によって挟持され、パッキン部材３１が押し潰されることによって、トップカバー２８と信号端子コネクタ２３との間の隙間が埋められている。
【００３０】
アクセサリーシュースプリング２６は、導電性を有する金属材料で構成されている。アクセサリーシュースプリング２６は、係合部材２０に装着されたアクセサリをＹ方向に付勢するための弾性変形部と、アクセサリのＺ方向の突き当てを行う突当面を備えている。トップカバー２８には、摺動孔が形成されており、この孔を貫通してアクセサリーシュースプリング２６に当接するように検出ピン３３が設けられている。
【００３１】
接片部材３４は、検出ピン３３を挟んでアクセサリーシュースプリング２６に対向する位置に配置されている。接片部材３４は、アクセサリーシュー１３にアクセサリが装着されていないとフレキシブル基板３０に設けられたパターン（図示省略）に当接している。アクセサリーシュー１３にアクセサリが装着されると、検出ピン３３はアクセサリーシュースプリング２６でＹ方向に押し下げられる。その結果、接片部材３４はフレキシブル基板３０のパターンから離れることによってアクセサリが装着されたことを検出する。このようにして、撮像装置１０にアクセサリが装着されたことが検知され、その後、装着されたアクセサリが撮像装置１０と同期する。
【００３２】
図３は、アクセサリーシュー１３を説明するための図であって、図３（ａ）は、斜視図、図３（ｂ）は、図３（ａ）のアクセサリーシュー１３をＺ方向から見た正面図である。
【００３３】
図３（ａ）において、係合部材２０は、外部ストロボ１４、及び電子ビューファインダ１５を係合保持するための部材である。係合部材２０には、電子ビューファインダ１５の接続プラグ１５ａが装着可能に係合部間隔２０ｐと内側側壁間隔２０ｗが形成されている。係合部材２０の内側には外部ストロボ１４用の信号端子ステージ２７が配置されている。信号端子ステージ２７の中央部にはシンクロナイザ接点２１が設けられており、シンクロナイザ接点２１の近傍に複数の接点２２が設けられている。シンクロナイザ接点２１及び複数の接点２２は、外部ストロボ１４を制御する通信用端子である。
【００３４】
信号端子コネクタ２３は、電子ビューファインダ１５の装着方向であるＺ方向においてシンクロナイザ接点２１より前方に配置されている。シンクロナイザ接点２１と信号端子コネクタ２３の間には第１の係合穴２４が設けられている。係合穴２４は、外部ストロボ１４に設けられたロックピンと係合することによって外部ストロボ１４の撮像装置１０からの脱落を防止する。また、信号端子ステージ２７の複数の接点２２の近傍には第２の係合穴２５が設けられている。第２の係合穴２５は、電子ビューファインダ１５に設けられたロックピンと係合することによって電子ビューファインダ１５の撮像装置１０からの脱落を防止する。
【００３５】
図３（ｂ）において、係合部材２０は、電子ビューファインダ１５の接続プラグ１５ａが装着できるように、係合部間隔２０ｐ、内側側壁間隔２０ｗ、及び係合部高さ２０ｈを備えている。
【００３６】
汎用のアクセサリーシューでは、係合部材２０の係合部間隔２０ｐ、内側側壁間隔２０ｗ、及び係合部高さ２０ｈは、規格によって規定されている。換言すれば、アクセサリーシュー１３に係合するアクセサリの接続プラグでは、信号端子コネクタ２３との接続端子を含む接続部の外形形状を係合部材２０の係合部間隔２０ｐ、内側側壁間隔２０ｗ、及び係合部高さ２０ｈで規定される範囲内に納めなければならない。一方、多極化された信号端子コネクタ２３の接続端子は、係合部高さ２０ｈと係合部間隔２０ｐとで規定される面内で接点部が露出するように構成される必要がある。
【００３７】
そこで、本実施の形態では、信号端子コネクタ２３に第１の接点面と、該第１の接点面よりＹ方向で下側に、第１の接点面に対して所定角度傾斜した第２の接点面を設け、第１の接点面及び第２の接点面の端子をそれぞれ半ピッチずらして千鳥状に配列している。各端子の配置位置の詳細については、後述する。
【００３８】
図４は、信号端子コネクタ２３を説明するための図であって、図４（ａ）は、斜視図、図４（ｂ）は、図４（ａ）の信号端子コネクタ２３をＺ方向から見た正面図である。
【００３９】
図４において、信号端子コネクタ２３のＸ方向の幅は、係合部材２０における係合部間隔２０ｐよりも幅広になっており、これによっても、高画素化、高フレームレート化に伴って多極化した電子ビューファインダの接続プラグに対応するものとなっている。
【００４０】
信号端子コネクタ２３には、電子ビューファインダ１５の装着方向であるＺ方向に直角に交叉するＸ方向に沿った第１の接点面３６が設けられている。第１の接点面３６から、複数の接続端子からなる第１の端子列３６ａが露出している。電子ビューファインダ１５の装着方向の手前側に、Ｘ方向と直交するＹ方向にずらして第１の接点面３６に対して所定角度で傾斜した第２の接点面３８が設けられている。所定角度は、例えば、９０〜１８０度の範囲内の角度である。第２の接点面３８から、複数の接続端子からなる第２の端子列３８ａが露出している。第１の端子列３６ａと第２の端子列３８ａの端子は、個々の端子が相互に千鳥状に配置された千鳥配列となっている。
【００４１】
第２の接点面３８は、第１の接点面３６に対し、例えば、１２０°傾斜した面である。第１の接点面３６と第２の接点面３８の間に第３の面３７が設けられている。第３の面３７には電子ビューファインダ１５の接続プラグ１５ａとの組み合わせを規制する嵌合部材としての嵌合キー４０が設けられている。嵌合キー４０のＸ方向の前後に位置する第１列側の端子３６ｂと、第２列側の端子３８ｂ、３８ｃの３つの端子の少なくともいずれかは、電子ビューファインダ１５の接続プラグ１５ａが接続されたことを検出する検出信号端子として機能する。
【００４２】
検出信号端子が、電子ビューファインダ１５が撮像装置１０に接続されたことを検出しなければ、電子ビューファインダ１５と撮像装置１０との通信は許可されない。従って、例えば、異なる２つの撮像装置とアクセサリにおいて、同一形状の接続プラグと信号端子コネクタを用いる場合でも、嵌合キーの位置を変更すれば、容易に組み合わせを限定することができる。第１の接点面３６又は第２の接点面３８に隣接する第３の面３７に設けられた嵌合キー４０によって装着されるプラグの形状を規制する構成によって、検出信号端子は、第１列側及び第２列側の上述の３つの端子から選択可能であり、選択の自由度がある。
【００４３】
信号端子コネクタ２３には、フレキシブル基板３０（図２（ａ））と電気的に接合されるリード部３６ｄ（後述する図６（ｂ）参照）、及びリード部３８ｄよりも上側に、全周のフランジ部４１が形成されている。フランジ部４１には、Ｙ方向に伸延する一対の位置決め部３９が形成されている。位置決め部３９は、Ｘ方向においてフレキシブル基板３０と接合されるリード部３６ｄ、３８ｄより外側であり、且つ、係合部材２０のＹ方向の投影面積内に設けられている。位置決め部３９は、信号端子コネクタ２３と係合部材２０とを位置決めする。すなわち、信号端子コネクタ２３の位置決め部３９が係合部材２０の図示省略した係合穴と係合することによって、係合部材２０に対して信号端子コネクタ２３が直接、位置決めされる。従って、電子ビューファインダ１５の装着時には、信号端子コネクタ２３に対する接続プラグ１５ａの位置は、１対１に定まる。
【００４４】
次に、電子ビューファインダ１５の接続プラグ１５ａについて説明する。
【００４５】
図５は、電子ビューファインダ１５の接続プラグ１５ａを説明するための図であり、図５（ａ）は、接続プラグ側から見た電子ビューファインダの斜視図、図５（ｂ）は、接続プラグ１５ａの端子を示す部分拡大図である。
【００４６】
図５（ａ）において、電子ビューファインダ１５は、電子ビューファインダ本体５２、接続プラグ１５ａ、及び接眼部５１を備えている。電子ビューファインダ本体５２は、視度を調整する図示省略した光学ユニットを保持している。撮影者は、接眼部５１に表示される撮像画像を見ることができる。
【００４７】
図５（ｂ）において、接続プラグ１５ａは、端子列を保持するベース部５４を備えている。ベース部５４には傾斜面５８、平面部５７、及び信号端子コネクタ２３の第１の接点面３６に対向する平面６２が設けられている。傾斜面５８は、信号端子コネクタ２３の第２の接点面３８に対向する面である。傾斜面５８には、信号端子コネクタ２３の第２列側の端子３８ａと接続される端子列５９が露出している。平面部５７は、信号端子コネクタ２３の第３の平面３７に対向する面である。信号端子コネクタ２３の第１の接点面３６に対向する平面６２には、信号端子コネクタ２３の第１の端子列３６ａに接続される端子列６１が露出している。
【００４８】
信号端子コネクタ２３の第１の接点面３６に対向する平面６２の一部は端子列６１の先端保護部５４ｆを構成している。ベース部５４には信号端子コネクタ２３の第３の面３７（図４（ａ））に設けられた嵌合キー４０に対応する凹部５６が端子５５内に形成されている。凹部５６が設けられた端子５５は、信号端子コネクタ２３の第１列側の端子３６ｂと接続される検出信号端子である。嵌合キー４０に対応する凹部５６の幅は、別の端子の凹部６０と比較して幅方向の寸法が異なる。その結果、上述したように、同一形状の信号端子コネクタ、及び接続プラグを用いる場合は、嵌合キーの位置を変更することによって、組み合わせを限定することができる。
【００４９】
次に、電子ビューファインダ１５の接続プラグ１５ａをアクセサリーシュー１３に装着した状態について説明する。
【００５０】
図６は、電子ビューファインダ１５の接続プラグ１５ａをアクセサリーシュー１３の係合部材２０に装着した状態を説明する図であり、図６（ａ）は斜視図である。また、図６（ｂ）は、信号端子コネクタ２３の第２の端子列と、接続プラグ１５ａの端子の接続状態を示すＹＺ平面の断面図である。
【００５１】
図６（ａ）において、Ｘ方向の幅が、係合部間隔２０ｐよりも幅広の信号端子コネクタ２３を備えるアクセサリーシュー１３の係合部材２０に、電子ビューファインダ１５の接続プラグ１５ａが装着されている。
【００５２】
図６（ｂ）において、信号端子コネクタ２３の第２の端子列と、接続プラグ１５ａの端子との接続状態を示す上述の図４（ｂ）におけるＢ−Ｂ線に沿った断面が示されている。信号端子コネクタ２３の第２の端子列（端子３８ｐ）は樹脂ハウジング２３ａによって保持されている。端子３８ｐの接点部３８ｎは、保持部材である樹脂ハウジング２３ａから露出している。第２の端子列（端子３８ｐ）のリード部３８ｄは、フレキシブル基板３０（図２（ａ）参照）と電気的に接合されている。すなわち、端子３８ｐの接点部３８ｎとリード部３８ｄだけは樹脂ハウジング２３ａから露出している。
【００５３】
電子ビューファインダ１５の接続プラグ１５ａに設けられたプラグ側端子５３は、先端部５３ａが信号端子コネクタ２３の端子３８ｐの接点部３８ｎと接触している。接続プラグ１５ａのベース部５４における信号端子コネクタ２３の第１の接点面３６に対向する面６２の高さ内に、プラグ側端子５３の先端部５３ａがＹ方向に変位するための退避空間５４ｅが設けられている。
【００５４】
プラグ側端子５３の先端部５３ａは、ベース部５４に設けられた退避空間５４ｅ内をＹ方向に変位する可動端子として機能する。その結果、信号端子コネクタ２３の第２列側の端子３８ｐの接点部３８ｎは、変位しない固定端子とすることができる。接続プラグ１５ａが、係合部材２０に装着される際のＺ方向への移動に伴い、プラグ側端子５３の先端部５３ａは、信号端子コネクタ２３の端子３８ｐの接点部３８ｎに接触し、Ｙ方向に変位することで、端子間の接点圧を受ける。そして、先端部５３ａと端子３８ｐの接点部３８ｎとの接触部が移動することによって、接触面に付着した異物が除去され、安定した接触が可能となる。
【００５５】
次に、信号端子コネクタ２３の第２の端子列と、接続プラグ１５ａの端子の接続状態について説明する。
【００５６】
図７は、電子ビューファインダ１５の接続プラグ１５ａをアクセサリーシュー１３の係合部材２０に装着した状態を説明する図であり、信号端子コネクタ２３の第１の端子列と、接続プラグ１５ａの端子との接続状態を示すＹＺ平面の断面図である。
【００５７】
図７において、信号端子コネクタ２３の第１の端子列と、接続プラグ１５ａの端子との接続状態を示した上述の図４（ｂ）におけるＡ−Ａ線に沿った断面が示されている。信号端子コネクタ２３の第１の接点面３６は、電子ビューファインダ１５の装着方向であるＺ方向に直角に対向する面である。信号端子コネクタ２３の第１の端子列（３６ｂ）は、信号端子コネクタ２３の樹脂ハウジング２３ａによって保持されている。端子３６ｂの接点部３６ｎは、樹脂ハウジング２３ａから露出している。第１の端子列（３６ｂ）のリード部３６ｄは、フレキシブル基板３０（図２（ａ）参照）と電気的に接合されている。
【００５８】
電子ビューファインダ１５の接続プラグ１５ａに設けられたプラグ側端子５５は、先端部５５ａが信号端子コネクタ２３の端子３６ｂの接点部３６ｎと接触している。接続プラグ１５ａのベース部５４は、汎用のアクセサリーシューに係合するために、係合部間隔２０ｐ、内側側壁間隔２０ｗ、及び係合部高さ２０ｈ内に外形形状を納めなければならない（図３（ｂ）参照）。
【００５９】
接続プラグ１５ａのプラグ側端子５５の先端部５５ａより上側には先端保護部５４ｆが設けられている。よって、プラグ側端子５５の先端部５５ａがＹ方向に変位するための退避空間を設けることはできない。その結果、第１の端子列（３６ｂ）と接続する端子列６１（図５（ｂ）参照）は固定端子とする。
【００６０】
第１列側の端子３６ｂの接点部３６ｎからリード部３６ｄに向けて中間部としての腕部３６ｅが設けられている。腕部３６ｅは、第２の接点面３８に略平行であり、樹脂ハウジング２３ａの内部空間の内壁面の一部に当接している。腕部３６ｅの幅は他の部分より幅広に形成されている。また、腕部３６ｅからリード部３６ｄの間にＵ字形状部３６ｆが設けられている。弾性変形部であるＵ字形状部３６ｆは、弾性変形部以外の、例えば、腕部３６ｅとリード部３６ｄに対し、断面の幅が狭く形成されている。従って、端子３６ｂは、接点部３６ｎに荷重が生じるとＵ字形状部３６ｆが弾性変形して接点部３６ｎが変位する。すなわち、端子３６ｂをはじめ第１の端子列３６ａは、接点部が変位する可動端子である。
【００６１】
腕部３６ｅ、Ｕ字形状部３６ｆは、第２の接点部３８ｎ（図６（ｂ））の稜線より下側の高さ２３ｉの範囲に配置されている。端子３６ｂをはじめとする第１の端子列３６ａのリード部３６ｄは、フレキシブル基板３０と接合し、その位置が拘束されている。一方、端子３６ｂの接点部３６ｎは、端子３６ｂがＵ字形状部３６ｆ、及び腕部３６ｅを有することから、Ｙ方向のスペース内で変異可能である。このように、端子３６ｂはじめとする第１の端子列３６ａは、先端が変位する可動端子として接点圧を得ることができる。
【００６２】
樹脂ハウジング２３ａと端子３６ｂをはじめとする第１の端子列３６ａは、係合部高さ２０ｈに納める必要がある。よって、樹脂ハウジング２３ａには、第１の端子列３６ａの端子３６ｂの接点部３６ｎが変位するための退避空間２３ｋがＺ方向に設けられている。端子３６ｂの接点部３６ｎは、Ｕ字形状部３６ｆが弾性変形してＺ方向に変位しながらＹ方向にも変位する。これによって、第１の端子列３６ａは、Ｕ字形状部３６ｆが弾性変形し、かつ接点部３６ｎが変位する可動端子として機能する。このように構成することによって、アクセサリーシュー１３に適用される信号端子コネクタ２３を大型化することなく、高画素化、高フレームレート化の要請に応じて多極化することができる。
【００６３】
以上説明したように、本実施の形態によれば、信号端子コネクタ２３の第１の端子列３６ａを先端が変位する可動端子とし該可動端子の弾性変形部を第２の接点面３８の稜線より下側の高さ２３ｉの範囲に配置した。これによって、第１の端子列３６ａの弾性変形部は、接続プラグ１５ａよりＹ方向で下側となり、結果として、信号端子コネクタ２３を大型化することなく、端子を多極化することができる。
【００６４】
また、本実施の形態によれば、信号端子コネクタ２３の樹脂ハウジング２３ａには、第１列側の端子３６ｂの接点部３６ｎが変位するための退避空間２３ｋをＺ方向に設けた。第２の端子列３８ａ（３８ｐ）は、リード部３８ｄから接点部３８ｎまでの距離が短いため信号端子接点面が変位しない固定端子とした。これによって、信号端子コネクタ２３の大型化が回避される。
【００６５】
また、本実施の形態によれば、信号端子コネクタ２３の第１列側の端子３６ｂと接触する接続プラグ１５ａの端子列を固定接点として端子先端の退避空間を不要とした。これによって、信号端子コネクタ２３と接続プラグ１５ａが係合した状態において大型化することなく端子の配置が可能な構成となる。従って、高画素化、高フレームレート化の要請に伴い多極化した電子ビューファインダ１５であっても、本実施の形態における汎用の規格に適用したアクセサリーシュー装置に装着可能となる。
【００６６】
なお、本実施の形態では多極化したアクセサリとして電子ビューファインダを例にしているが、多極化したアクセサリは大型モニタやマイクなどであってもよい。
【符号の説明】
【００６７】
１０  撮像装置
１３  アクセサリーシュー
１５  電子ビューファインダ
２０  係合部材
２１  シンクロナイザ接点
２３  信号端子コネクタ
２８  トップカバー
３０  フレキシブル基板
３６  第１の接点面
３８  第２の接点面
３９  位置決め部
４０  嵌合キー
４１  フランジ部
【図１】
0006643120.tif 000002
【図２】
0006643120.tif 000003
【図３】
0006643120.tif 000004
【図４】
0006643120.tif 000005
【図５】
0006643120.tif 000006
【図６】
0006643120.tif 000007
【図７】
0006643120.tif 000008